(57)【要約】  【課題】利用者が原稿画像に対して手書きで記した情報に基づいて，原稿画像から生成された画像データの任意の１又は複数の領域に対して，利用者が所望する色や模様で塗り潰す，或いは上記領域の色や模様に濃淡をつけて塗り潰す処理を実行する画像処理装置を提供する。  【解決手段】原稿画像データに対応画像データに合致する画像データが存在する否かの照合し，該画像データがあると判別された場合には，対応画像データに対応する塗り潰し態様データ，及び塗り潰し処理に関するプログラムを取得する。また塗り潰し処理を行う領域を取得した後に，該領域に対して上記プログラムに従って塗り潰し処理を行う。その後，塗り潰し処理が施された画像データを表示操作部に表示させ，利用者によって表示操作部から印字出力を行う入力がされた場合には該画像データをシートへ印字出力する。【選択図】図３
2005252759.tif 000002
【特許請求の範囲】
【請求項１】
原稿の画像を読み取る原稿画像読取手段と，
該原稿画像読取手段によって読み取られた上記原稿の画像から画像データを生成する画像データ生成手段とを具備する画像処理装置において，
１又は複数の画像の塗り潰し態様に関するデータ及び塗りつぶしの態様に関するデータに夫々対応する対応画像データを記憶する画像態様記憶手段と，
上記画像データ生成手段により生成された上記画像データから上記対応画像データを抽出する対応画像データ抽出手段と，
該対応画像データ抽出手段によって抽出された上記対応画像データに対応する上記画像の塗り潰し態様に関するデータを上記画像態様記憶手段から取得する画像態様取得手段と，
上記対応画像データ抽出手段によって抽出された上記対応画像データと関連する領域の内部或いは領域の外部について，上記画像様態取得手段により取得された上記画像の塗り潰し態様に関するデータに従った塗り潰し処理を実行する塗り潰し処理実行手段とを具備してなることを特徴とする画像処理装置。
【請求項２】
上記画像の塗り潰し態様に関するデータが，画像の色，模様，濃度，色のグラデーション，或いはこれらの組合せに関するデータである請求項１に記載の画像処理装置。
【請求項３】
上記対応画像データが適宜の符号を表す画像データである請求項１或いは２のいずれかに記載の画像処理装置。
【請求項４】
上記領域が，線分或いは適宜の符号により囲まれた領域である請求項１〜３のいずれかに記載の画像処理装置。
【請求項５】
上記対応画像データと関連する領域の内部或いは領域の外部に対応する画像データが，上記対応画像データを構成する画素の画像データと上記適宜の線分を構成する画素の画像データとに基づいて抽出されるものである請求項４に記載の画像処理装置。
【請求項６】
上記対応画像データが上記塗り潰し処理実行手段によって塗り潰される上記領域の位置に関するデータを含むものである請求項１〜５に記載の画像処理装置。
【請求項７】
１又は複数の上記原稿の画像上に記される領域の態様に関するデータを記憶する領域態様記憶手段を具備すると共に，
該領域態様記憶手段に記憶される上記領域の態様に関するデータに基づいて，上記対応画像データと関連する領域の内部或いは領域の外部に対応する画像データが抽出されるものである請求項１〜４のいずれかに記載の画像処理装置。
【請求項８】
上記塗り潰し処理実行手段により塗り潰し処理が実行された後の，上記対応画像データと関連する領域の内部或いは領域の外部に対応する画像データを含む全ての上記原稿の画像データを記憶する処理後画像データ記憶手段を更に具備してなる請求項１〜７のいずれかに記載の画像処理装置。
【請求項９】
上記画像処理装置に関する情報を表示する情報表示手段を具備すると共に，上記塗り潰し処理実行手段により塗り潰し処理が実行された後の，上記対応画像データと関連する領域の内部或いは領域の外部に対応する画像データを含む全ての上記原稿の画像データを上記情報表示手段に表示するものである請求項１〜８のいずれかに記載の画像処理装置。
【請求項１０】
上記塗り潰し処理実行手段により塗り潰し処理が実行された後の，上記対応画像データと関連する領域の内部或いは領域の外部に対応する画像データを含む全ての上記原稿の画像データをシートに印字出力してなる請求項１〜９のいずれかに記載の画像処理装置。
【発明の詳細な説明】
【技術分野】
【０００１】
本発明は，読み取られた原稿画像から画像データを生成する画像処理装置にかかり，特に，利用者が上記原稿画像に対して手書きで記した画像に基づいて，上記原稿画像から生成された上記画像データにおける任意の１又は複数の領域に対して，利用者が所望する色や模様等で塗り潰す処理，或いは上記領域の色や模様に濃淡をつけて塗り潰す処理等を実施する画像処理装置に関するものである。
【背景技術】
【０００２】
画像を読み取るスキャナ等の画像読取装置や，複写機，プリンタ，ファクシミリ，或いはその複合機として構成される画像形成装置を含む画像処理装置には，原稿の画像を読み取る画像読取部が読み取った原稿画像の画像データに対して，例えば彩色等の処理を施した後に，該処理後の画像をシートに印字出力するものがある。
例えば，特許文献１に示されるコピー装置（画像処理装置の一例）では，読み取ったモノクロの原稿画像を，上記コピー装置が備える操作部から利用者が選択した単一色（イエロー，シアン，マゼンダ，レッド，グリーン，ブルーのうちのいずれか一色）でシートに印字出力することができる。また，特許文献２に示される画像処理装置では，カラー原稿を特殊な複写機でモノクロ印字した画像を，原稿画像として読み取った際に，該原稿画像に予め記録されたカラー画像中の色情報の画像パターンを抽出し，該抽出した画像パターンに基づいてカラー画像を再現してシートに印字出力している。
【特許文献１】特開平１０−２００７６３号公報
【特許文献２】特開平１１−２８４８６７号公報
【発明の開示】
【発明が解決しようとする課題】
【０００３】
しかしながら，特許文献１に示される上記コピー装置の場合，原稿画像の全部が上記単一色でシートに印字出力されるため，例えば，原稿画像における利用者が所望する１又は複数の領域にのみ彩色してシートに印字出力することができない。
また，特許文献２に示される上記画像処理装置では，上記抽出した画像パターンが予め記録された原稿画像を使用した場合のみ，カラー画像を得ることができる。そのため，当然ながら，通常印字された原稿を用いてもカラー画像を得ることができないという問題がある。
従って，本発明は上記事情に鑑みてなされたものであり，その目的とするところは，利用者が上記原稿画像に対して手書きで記した情報に基づいて，上記原稿画像から生成された上記画像データの任意の１又は複数の領域に対して，利用者が所望する色や模様で塗り潰す，或いは上記領域の色や模様に濃淡をつけて塗り潰す処理を実行する画像処理装置を提供することにある。
【課題を解決するための手段】
【０００４】
上記目的を達成するために，本発明は，原稿の画像を読み取る原稿画像読取手段と，該原稿画像読取手段によって読み取られた上記原稿の画像から画像データを生成する画像データ生成手段とを具備する画像処理装置において，１又は複数の画像の塗り潰し態様に関するデータ及び塗りつぶしの態様に関するデータに夫々対応する対応画像データを記憶する画像態様記憶手段と，  上記画像データ生成手段により生成された上記画像データから上記対応画像データを抽出する対応画像データ抽出手段と，該対応画像データ抽出手段によって抽出された上記対応画像データに対応する上記画像の塗り潰し態様に関するデータを上記画像態様記憶手段から取得する画像態様取得手段と，上記対応画像データ抽出手段によって抽出された上記対応画像データと関連する領域の内部或いは領域の外部について，上記画像様態取得手段により取得された上記画像の塗り潰し態様に関するデータに従った塗り潰し処理を実行する塗り潰し処理実行手段とを具備してなることを特徴とする画像処理装置として構成される。
この場合，上記画像の塗り潰し態様に関するデータについては，例えば，画像の色，模様，濃度，色のグラデーション，或いはこれらの組合せに関するデータであることが考えられる。また上記対応画像データについては，例えば，適宜の符号を表す画像データであることが考えられる。更に，上記対応画像データについては，上記塗り潰し処理実行手段によって塗り潰される上記領域の位置に関するデータも含む場合がある。
【０００５】
また，上記領域とは，例えば線分或いは適宜の符号により囲まれた領域が挙げられる。この場合，上記対応画像データと関連する領域の内部或いは領域の外部に対応する画像データが，上記対応画像データを構成する画素の画像データと上記適宜の線分を構成する画素の画像データとに基づいて抽出されるものであることが望ましい。
【０００６】
更に，上記画像処理装置は，１又は複数の上記原稿の画像上に記される領域の態様に関するデータを記憶する領域態様記憶手段を具備すると共に，該領域態様記憶手段に記憶される上記領域の態様に関するデータに基づいて，上記対応画像データと関連する領域の内部或いは領域の外部に対応する画像データが抽出されるものであることが望ましい。
【０００７】
ここで，上記画像処理装置には，上記塗り潰し処理実行手段により塗り潰し処理が実行された後の，上記対応画像データと関連する領域の内部或いは領域の外部に対応する画像データを含む全ての上記原稿の画像データを記憶する処理後画像データ記憶手段が設けられている場合がある。また，上記画像処理装置に関する情報を表示する情報表示手段も設けられていることもあり得る。この場合，上記塗り潰し処理実行手段により塗り潰し処理が実行された後の，上記対応画像データと関連する領域の内部或いは領域の外部に対応する画像データを含む全ての上記原稿の画像データを上記情報表示手段に表示することが望ましい。
尚，上記画像処理装置については，上記塗り潰し処理実行手段により塗り潰し処理が実行された後の，上記対応画像データと関連する領域の内部或いは領域の外部に対応する画像データを含む全ての上記原稿の画像データをシートに印字出力する場合がある。
【発明の効果】
【０００８】
以上説明したように本発明にかかる上記画像処理装置は，上記原稿画像読取手段，上記画像データ生成手段，上記画像様態記憶手段，上記対応画像データ抽出手段，上記画像態取得手段，及び上記塗り潰し処理実行手段を具備している。このことによって，上記画像処理装置では，上記対応画像データ抽出手段により抽出された上記対応画像データ（例えば，利用者が上記原稿に手書きで記入した○，△，□，その他の符号等を表す画像データ）と関連する（例えば，所定距離内に形成された等の）領域の内部或いは領域の外部に対して，上記画像の塗り潰し態様に関するデータに従った塗り潰し処理（例えば，利用者が所望する色や模様で塗り潰す処理や，上記領域の色や模様の濃度の変化，或いは色のグラデーションをつけて塗り潰す処理）の実行が可能になっている。即ち，上記画像処理装置では，上記原稿の画像における利用者が所望する１又は複数の任意位置の領域に，上記画像の塗り潰し態様に関するデータに従った塗り潰し処理を行うことができる。
また，本発明にかかる上記画像処理装置が備える上記原稿画像読取手段によって読み取られる上記原稿の画像は，一般の印字処理がなされた画像である。即ち，上記特許文献２に示される画像処理装置のように，原稿の画像を，カラー画像中の色情報の画像パターンが予め記録された画像に限定する必要がない。これらのことから，上記画像処理装置は，上記特許文献２に示される画像処理装置に比べると汎用性が高いものであることは言うまでもない。
更に，上記画像処理装置には上記領域態様記憶手段が設けられているため，利用者は，上記画像の塗り潰し態様に関するデータに従った塗り潰し処理を行う領域を，上記原稿の画像の任意の場所に直接記入することもできる。
尚，上記画像処理装置では，上記画像の塗り潰し態様に関するデータに従った塗り潰し処理後の画像データが，上記処理後画像データ記憶手段に記憶されるので，例えば，上記塗り潰し処理後の画像データを，上記画像処理装置とネットワーク接続された外部装置に送信し，該外部装置で該処理後の画像データを別の処理に利用することもできる。また，上記塗り潰し処理後の画像については上記情報表示手段に表示されるので，利用者は，該情報表示手段に表示された上記塗り潰し処理後の画像を視認すると共に，例えば該画像をシートに印字するか否かの選択も可能である。
【発明を実施するための最良の形態】
【０００９】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施形態にかかる画像処理装置の一例である複写機Ｘの主要部の構成ブロック図，図２は上記複写機Ｘにおいて塗り潰し処理が行われる原稿の一例を示した図，図３は上記複写機Ｘに設けられた制御部６が実施する指定領域の塗り潰し処理を表すフローチャート，図４は上記複写機Ｘにおいて塗り潰し処理が行われる領域を原稿の画像データから抽出する方法を示した図である。
【００１０】
まず図１−ａ，ｂ，ｃ，及び図２を用いて，複写機Ｘの構成概要について説明する。
本実施形態にかかる複写機Ｘは，例えばカラー現像を行う複写機として説明している。しかし，本発明にかかる画像処理装置についてはモノクロ現像を行う複写機でも問題ない。この場合，後述する利用者が所望した１又は複数の領域に対する塗り潰し処理とは，例えば斜線や網掛け等のモノクロ模様で塗り潰す処理，モノクロ画像の濃度をかえて塗り潰す処理，或いはモノクロ画像に色のグラデーションをつけて塗り潰す処理等を示している。
また複写機Ｘは，単独で印刷処理が実施される複写機でもよいし，ネットワークを介して外部端末などからのデータ信号を受信することで，印刷処理が実施される複写機でもよい。
【００１１】
図１−ａに示されるように，複写機Ｘは，該複写機Ｘに対する操作，及び複写機Ｘに関する情報を表示する表示操作部１（本発明における情報表示手段の一例），不図示の原稿台等に載置された原稿の画像を読み取る画像読取部２（本発明における原稿画像読取手段の一例），画像読取部２で読み取った原稿の画像から画像データを生成し，該生成した画像データに適宜の処理を施す画像処理部３（本発明における画像データ生成手段の一例），画像データや画像処理部３で実施される適宜の処理内容等を記憶する記憶部４，画像処理部３にて実施された処理後の画像データに基づいてシートにトナー等で画像を形成する画像形成部５，複写機Ｘ全体の制御を行う制御部６等から構成されており，所定のバスで各々の装置が接続されることによって，各々の装置間でのデータの送受信が可能になっている。
また制御部６は，各種演算処理を行う不図示のＣＰＵや半導体メモリ等から構成されており，半導体メモリ等に格納された所定のプログラム（画像データ生成機能１０，対応画像データ抽出機能１１，画像態様取得機能１２，塗り潰し処理実行機能１３等）が実行されることにより，原稿の画像における利用者が所望する１又は複数の領域に，画像の塗り潰し態様データに従った塗り潰し処理（例えば，利用者が所望する色や模様等で塗り潰す処理や，上記領域の色や模様の濃度の変化，或いは色のグラデーションをつけて塗り潰す処理等）が実施される。詳しくは後述する。
【００１２】
記憶部４には，画像読取部２で読み取った原稿画像から生成された画像データを記憶する第１の記憶部４ａ，１又は複数の画像の色，模様，濃度，色のグラデーション，或いはそれらの組合せに関するデータ（以下，塗り潰し態様データという），及び，該塗り潰し態様データに対応する画像データ（以下，対応画像データといい，該対応画像データにより生成される画像を対応画像という）を記憶する第２の記憶部４ｂ（本発明における画像態様記憶手段の一例），上記塗り潰し態様データを用いて実施される塗り潰し処理に関するプログラムを記憶する第３の記憶部４ｃ，塗り潰し処理後の画像データを記憶する第４の記憶部４ｄ（本発明における処理後画像データ記憶手段の一例），上記塗り潰し処理を行う領域の態様に関するデータ（以下，領域態様データという）を記憶する第５の記憶部４ｅ（本発明における領域態様記憶手段の一例）が設けられている。
【００１３】
ここで，上記塗り潰し態様データ及び上記対応画像データについて，図２−Ｇ0〜Ｇ3を用いて説明する。尚，図２−Ｇ1〜Ｇ3については，図２−Ｇ0の画像Ｇ部分を拡大した図である。また，ここでは例として，モノクロ或いはカラー画像の原稿Ｐ（図２−Ｇ0参照）における画像Ｇの１又は複数の適宜の領域に彩色してシートへ印字出力を行う場合について述べている。しかし，複写機Ｘを用いて，画像Ｇの１又は複数の適宜の領域を斜線や網掛けといった模様等で塗り潰す，画像の濃度を変えて塗り潰す，或いは色にグラデーションをつけて塗り潰す等の場合でも同様であることは言うまでもない。
上記対応画像データとは，原稿上に手書きされた適宜の符号を表す画像データを示しており，図１−ｂに示されるように，上記塗り潰し態様データと対応付けされて第２の記憶部４ｂに記憶されている。また，図２−Ｇ1の場合，上記対応画像とは線分３３で囲まれた領域の内部３１（以下，領域内部３１という）に記入された正三角形の手書き画像３０のことを指している。即ち，例えば，手書き画像３０が「赤色で領域内部或いは領域外部を塗り潰す」という旨の記号である場合，複写機Ｘが備える上記第２の記憶部４ｂには，赤色の画像データと手書き画像３０の画像データとが対応した状態で予め記憶されている（図１−ｂ参照）。また，この例では，手書き画像３０が或る閉領域の中に検出された場合には，その閉領域を第２の記憶部４ｂに記憶された赤色の画像データで塗り潰すという規則（即ち処理内容）が，前記第３の記憶部４ｃに記憶されたプログラムに記述されている。そのため，上記領域内部３１を赤色で塗り潰したい時には，図２−Ｇ1のように，利用者は上記領域内部３１の内に手書き画像３０を手書きで記入した後，複写機Ｘを用いて上記原稿Ｐを印字すればよい。尚，詳しい処理内容については後述する。
【００１４】
また，図１−ｃに示されるように，上記対応画像データについては，上記塗り潰し態様データ，及び後述する塗り潰し処理が行われる領域の位置に関するデータ（以下，塗り潰し位置データという）と対応付けられて第２の記憶部４ｂに記憶されている場合がある。この場合，例えば図２−Ｇ1のように，利用者が，上記領域外部３２に手書き画像３０ａを記入した場合には，手書き画像３０ａから１０ｃｍ四方に存在する線分で囲まれた領域を，赤色の画像データで塗り潰すという規則（即ち処理内容）が，前記第３の記憶部４ｃに記憶されたプログラムに記述されている。このように，上記領域外部３２に手書き画像３０ａを記入した場合でも，複写機Ｘでは，第２の記憶部４ｂに記憶される夫々のデータに基づいて，利用者の所望する領域に対して後述する塗り潰し処理を行うことができる構成になっている。
【００１５】
更に，上記対応画像データについては複数存在してもよい。これは，上記対応画像が原稿Ｐの画像における異なる複数の領域に夫々存在している場合を示している。例えば図２−Ｇ2に示されるように，手書き画像３５が青色，手書き画像３７が黄色で領域内部を塗り潰すという旨の記号である場合には，線分で夫々囲まれた領域３４は赤色，領域３６は青色，また領域３８は黄色で夫々塗り潰されることになる。尚，上記対応画像については，図２−Ｇ3のように記号ではなく文字であってもよい。即ち，複写機Ｘでは，前記第２の記憶部４ｂに記憶された上記対応画像データが符号や記号を示す画像データであれば，画像Ｇから読み取った画像データと第２の記憶部４ｂに記憶された上記対応画像データとのパターンマッチングにより，合致した符号や文字が含まれる閉領域について，第２の記憶部４ｂに記憶された態様で塗り潰し処理が行われているのである。
【００１６】
ここで，上記したような塗り潰し処理が行われる領域が，上記領域内部３１であるのか，線分３３で囲まれた領域の外部３２（以下，領域外部という），即ち背景であるのかを，前記した表示操作部１から選択できるようなプログラムにしておいてもよい。また，例えば，手書き画像３０が白抜きの画像である場合は上記領域内部３１に対して塗り潰し処理を行い，手書き画像３０が黒で塗り潰された画像である場合は上記領域外部３２に対して塗り潰し処理を行うといったような，手書き画像３０の種別に基づいて塗り潰し処理を行う領域が選択されるようなプログラム構成も採用され得る。
尚，このような規則（即ち処理内容）についても，前記第３の記憶部４ｃに上記した処理内容のプログラムが記憶されている。
【００１７】
次に，図２−Ｇ4〜Ｇ5を用いて，上記領域態様データについて説明する。尚，図２−Ｇ4〜Ｇ5については，図２−Ｇ0の画像Ｇ部分を拡大した図である。また，ここでは例として，モノクロ或いはカラー画像の原稿Ｐ（図２−Ｇ0参照）における，画像Ｇの１又は複数の適宜の領域に彩色してシートへ印字出力を行う場合について述べている。しかし，複写機Ｘを用いて，画像Ｇの１又は複数の適宜の領域を斜線や網掛け等の模様で塗り潰す，画像の濃度を変えて塗り潰す，或いは色にグラデーションをつけて塗り潰す等の場合でも同様であることは言うまでもない。
上記領域態様データとは，利用者が，塗り潰し処理を行う領域を指定するために，原稿Ｐに手書きで記入した閉領域の範囲を示す線分，記号等の画像データを指している。図２−Ｇ1〜図２−Ｇ3の場合，プログラムによって上記対応画像を表す符号や文字が含まれる閉領域を塗り潰し領域として抽出されるので，上記領域態様データを特に問題にすることはない。しかし，上記対応画像を塗り潰し処理を行う領域の外部に記入する場合や，後記する図２−Ｇ4や図２−Ｇ5の場合のように，実体としての領域を示す線がない場合には，塗り潰し処理を行う領域が原稿画像上のどこにあるのかをコンピュータが判別するための規則がプログラム化されていなければならない。
例えば，図２−Ｇ4や図２−Ｇ5の場合，上記領域態様データとはバツ印の手書きの画像４０（以下，領域指定画像という）の画像データを指している。この場合，領域指定画像４０については，上記した手書き画像３０として用いられている記号以外の記号でなければならないことは当然である。また，図中の２つ以上の領域指定画像４０により形成される破線領域については，原稿Ｐの画像データから抽出された夫々の領域指定画像４０の画像データの座標に基づいて抽出される。この場合，本実施形態では，図２−Ｇ4のように２つの領域指定画像４０で指定される矩形領域を塗り潰し領域とするか，２−Ｇ5のように４つの領域指定画像４０で指定される矩形領域を塗り潰し領域とするかといった規則（即ち処理内容）については，前記プログラムに記述されているものとしている。
尚，上記破線領域の内部或いは上記破線領域の外部に対する塗り潰し処理については，上記領域内部３１或いは上記領域外部３２に対して行われる塗り潰し処理と同様であるので，ここでは説明を省略する。
【００１８】
次に，複写機Ｘに設けられた制御部６が，前記第３の記憶部４ｃに記憶されたプログラムに基づいて実施する指定領域の塗り潰し処理について，図３及び図４を用いて説明する。
本処理は，本実施形態の一例として，利用者によって図２−Ｇ1に示されるような手書き画像３０（即ち上記対応画像）が記入された原稿Ｐを，複写機Ｘが備える画像読取部２が読み取った場合に，その読み取られた原稿Ｐの画像データ，第２の記憶部４ｂに記憶された上記対応画像データ，及び同第２の記憶部４ｂに記憶された該対応画像データに対応する塗り潰し態様データに基づいて，制御部６が，上記領域内部３１のみを赤く塗り潰した画像をシートに印字出力する処理を示している。
ここで，本処理の前提として，上記対応画像データである手書き画像３０の画像データが，赤色の画像データ（即ち上記塗り潰し態様データ）と対応して上記第２の記憶部４ｂに予め記憶されているものとし，また，本処理における，どのような塗り潰し態様を行うかの設定については，例えば上記領域内部３１を単色塗り潰す処理を行う設定（以下，領域彩色設定という）として，前記した表示操作部１から利用者により予め行われているものとする。
尚，本処理については，表示操作部１に設けられているスタートボタン等が押下された際に，制御部６に入力される信号に基づいて起動される。
以下の説明中に記載されるＳ１，Ｓ２，…は処理手順（ステップ）の番号を表している。
【００１９】
制御部６が，表示操作部１からの信号の入力を検知することによって，本処理が起動されると，画像読取部２にて原稿Ｐの画像を読み取る（Ｓ１）。そして，読み取った原稿Ｐの画像を，画像処理部３が備える不図示のＣＣＤにてＡ／Ｄ変換して画像データ（ビットマップデータ）を生成した後，前記第１の記憶部４ａに一時的に記憶する（Ｓ２）。ここで，制御部６は，記憶部４等に記憶された適宜の情報に基づいて，上記領域彩色設定がされていないと判別した場合には（Ｓ３のＮ側），塗り潰しのない通常の印字処理を行った後に本処理を終了させる（Ｓ１１）。
また，上記領域彩色設定がされていると判別した場合には（Ｓ３のＹ側），制御部６は，設定された上記領域彩色設定（この場合，単色塗り潰しを行うという設定）を判別した後に，上記ステップＳ２の処理で第１の記憶部４ａに記憶された画像データに対して，上記対応画像データに合致する画像データが存在する否かの照合をする（Ｓ４）。ここで，上記対応画像データに合致する画像データの検出方法，即ち原稿に手書きした画像の検出方法については，ＯＣＲ処理やパターンマッチング処理等を行うことで，例えば，原稿画像のインク及び手書き画像のインクの違い，或いは原稿画像のフォント及び手書き画像のフォントの違いに基づいて，原稿の画像データから手書き画像の画像データが抽出されている。尚，これらの技術については，従来の技術を用いているため，ここでは説明を省略する。
上記ステップＳ４の処理において照合された結果，上記第２の記憶部４ａに記憶されている画像データに，上記対応画像データに対応する画像データが記憶されていないと判別された場合には（Ｓ４のＮ側），制御部６は，原稿Ｐの全画像データに対して上記ステップＳ４の処理が行われたか否かを判別  する。ここで，制御部６によって，原稿Ｐの全画像データに対する照合が終了していないと判別された場合には，上記ステップＳ４の処理に戻り，次の手書き画像３０の画像データの検出が継続される（Ｓ７のＮ側）。尚，本処理では，上記第２の記憶部４ｂに記憶されている画像データに手書き画像３０の画像データが存在しており，且つ ，手書き画像３０の画像データに対応する上記対応画像データが第２の記憶部４ｂに記憶されていることが前提であるため，制御部６は，続くステップＳ５の処理を行う。
上記ステップＳ４の処理において，上記第２の記憶部４ａに記憶されている画像データに，上記対応画像データに対応する画像データが記憶されていると判別された場合には（Ｓ４のＹ側），制御部６は，照合により抽出された上記対応画像データに対応する上記塗り潰し態様データとして赤色の画像データを第２の記憶部４ｂから取得すると共に，第３の記憶部４ｃから上記塗り潰し態様データを用いて実施される塗り潰し処理に関するプログラムも取得する。その後，原稿Ｐから赤く塗り潰す処理を行う領域，即ち上記第１の記憶部４ａに記憶される画像データから上記取得したプログラムに基づいて赤色の画像データに置換する領域を取得する（Ｓ５）。
【００２０】
ここで図４を用いて，上記ステップＳ５で実施される，塗り潰し領域が線分３３で実際に描かれている場合の塗り潰し領域の抽出方法の一例を説明する。
図４−Ｇ1（図２−Ｇ1）中の破線領域を拡大した図が図４−Ｇ2である。尚，ここでは，手書き画像３０を形成する線分の一部の画素ｂに隣接する画素ａ及び画素ｃの画像データ値，即ちＲＧＢ値についてはｘｘｘＢとして説明している。また，上記対応画像（手書き画像３０）は上記領域内部３１に手書きされているということを前提にしている。
先ず，制御部６は，読み取られた画像Ｐの上記対応画像として検出された手書き画像３０を主走査方向に走査して，手書きで記入された画素ｂのＲＧＢ値（例えばｙｙｙＢ）を検出する。次に制御部６は，画素ｂに隣接する画素ａ或いは画素ｃのＲＧＢ値（ｘｘｘＢ）を検出する。そして，画素ａ或いは画素ｃのＲＧＢ値と画素ｂのＲＧＢ値とを比較した結果，ＲＧＢ値が異なった場合には，画素ａ或いは画素ｃは，後述する塗り潰し処理が行われる領域に属するものであると判別される。
このようにして，画素ａ或いは画素ｃのＲＧＢ値の判別が行われると，上記したような判別は，更に主走査方向に沿って左右側へ進み，画素ａ或いは画素ｃの画素ｂと隣接する側とは反対側に隣接する画素の検出が行われると共に，該画素のＲＧＢ値の判別も行われる。このような処理が繰り返し行われると，やがて，制御部６により線分３３上の画素ｄ（例えばｚｚｚＢ）が検出される。この画素ｄは上記領域内部３１の画素ｃとは異なるＲＧＢ値を有している。このことから，制御部６は，画素ｄの判別が行われる前の画素ｄ'までが塗り潰し処理が行われる領域であると判別している。尚，上記対応画像としての手書き画像３０の内部についても同様の処理が行われる。
制御部６が，このような処理を一連一列行われることによって，上記ステップＳ５の処理で抽出された，上記した画素ａ，ｂ，ｃ，ｄ'を始めとする上記領域内部３１に存在する画素のＲＧＢ値を赤色に変換することで，上記領域内部３１を赤く塗りつぶす処理を行う（Ｓ６）。その後，上記ステップＳ４の処理に戻り，次の手書き画像３０の画像データの検出が継続される。
【００２１】
一方，上記ステップＳ７の処理で，原稿Ｐの全画像データに対する照合が終了したと判別された場合には（Ｓ７のＹ側），制御部６は，上記ステップＳ４〜Ｓ６の処理が施された，即ち塗り潰し処理が行われた後の画像データを第４の記憶部４ｄに記憶する（Ｓ８）。その後，第４の記憶部４ｄに記憶された画像データを表示操作部１に表示させる（Ｓ９）。また，利用者に現在表示されている状態の画像をシートに印字するか否かを選択させる画面等も表示操作部１に表示させる。利用者により画面から印字出力を行う入力がされた場合には（Ｓ１０のＹ側），制御部６は，第４の記憶部４ｄに記憶されている画像データに基づいてシートへ印字出力を行った後，本処理を終了させる（Ｓ１１）。また，利用者により画面から印字出力をキャンセルする入力が行われた場合には（Ｓ１０のＮ側），上記ステップＳ１の処理に戻る。
尚，第１の記憶部４ａ或いは第４の記憶部４ｄに記憶されている画像データについては，本処理が終了されると消去されても問題ない。また，制御部６が，上記ステップＳ２の処理では画像データ生成機能１０（本発明における画像データ生成手段の一例）を，上記ステップＳ４の処理では対応画像データ抽出機能１１（本発明における対応画像データ抽出手段の一例）を，上記ステップＳ５の処理では画像態様取得機能１２（本発明における画像態様取得手段の一例）を，上記ステップＳ６の処理では塗り潰し処理実行機能１３（本発明における塗り潰し処理実行手段の一例）を夫々制御することにより実現される。
【図面の簡単な説明】
【００２２】
【図１】本発明の実施形態にかかる画像処理装置の一例である複写機Ｘの主要部の構成ブロック図。
【図２】本発明の実施形態にかかる複写機Ｘにおいて塗り潰し処理が行われる原稿の一例を示した図。
【図３】本発明の実施形態にかかる上記複写機Ｘに設けられた制御部６が実施する指定領域の塗り潰し処理を表すフローチャート。
【図４】本発明の実施形態にかかる上記複写機Ｘにおいて塗り潰し処理が行われる領域を原稿の画像データから抽出する方法の一例を示した図。
【符号の説明】
【００２３】
１…表示操作部
２…画像読取部
３…画像処理部
４，４ａ〜４ｅ…記憶部
５…画像形成部
６…制御部
１０…画像データ生成機能
１１…対応画像データ抽出機能
１２…画像態様取得機能
１３…塗り潰し処理実行機能
３０，３０ａ，３５，３７…手書き画像
３１，３４，３６，３８…領域の内部
３２…領域の外部
３３…線分
４０…手書き領域指定画像
ａ〜ｄ，ｄ'…画素
Ｘ…複写機
Ｐ…原稿
Ｇ…画像
【図１】
2005252759.tif 000003
【図２】
2005252759.tif 000004
【図３】
2005252759.tif 000005
【図４】
2005252759.tif 000006